(57)【要約】【課題】ボックスを安定して上下にスタックできるスタック保持具を提供すること。【解決手段】スタック保持具１１の本体板１２の中央部に折り曲げ部可能なヒンジ部１３を設ける。ヒンジ部１３の一側には下側のボックス３１のスリット３３内に挿入可能な挿入部１４を形成するとともに、ヒンジ部１３の他側には上側のボックス３１の底面を受けるための受け部１５を設ける。受け部１５の上面には粘着シート１９を設ける。【選択図】図２
2017007806.tif 000002
【特許請求の範囲】
【請求項１】
上下にスタックされたボックスをスタック状態に保持するためのスタック保持具であって、
本体板の折り曲げ部の一側に下側のボックスのスリット内に挿入可能な挿入部を形成するとともに、前記折り曲げ部の他側には上側のボックスの底面を受けるための受け部を形成したスタック保持具。
【請求項２】
前記本体板は、前記折り曲げ部において展開及び折り畳み可能である請求項１に記載のスタック保持具。
【請求項３】
前記受け部の上面には上側のボックスの底面を貼り付けるための粘着シートを設けた請求項１または２に記載のスタック保持具。
【請求項４】
前記挿入部の側面には突起を形成した請求項２または３に記載のスタック保持具。
【請求項５】
前記受け部には、前記本体板の折り畳み時に前記突起が嵌合される嵌合孔を設けた請求項４に記載のスタック保持具。
【発明の詳細な説明】
【技術分野】
【０００１】
本発明は、上下に重ねてスタックされたボックスをそのスタック状態に保持するためのスタック保持具に関するものである。
【背景技術】
【０００２】
特許文献１には、ボックスを上下に重ねる場合、下側のボックスに形成した切起部を上側のボックスの底部に設けた係止孔に嵌合する構成が開示されており、前記切起部と係止孔との嵌合により、上下のボックスが重ねられた状態に保持されるようになっている。
【先行技術文献】
【特許文献】
【０００３】
【特許文献１】特開２００５−１７０４１９号公報
【発明の概要】
【発明が解決しようとする課題】
【０００４】
特許文献１においては、前記のように、下側のボックスに切起部を、上側のボックスに係止孔をそれぞれ設ける必要があり、しかも、切起部の位置と突起との位置とが合致しないと両ボックスを保持することはできない。つまり、上下のボックスは対応する凹凸関係の組み合わせ構造にする必要があって、つまり、上下のセット構造にする必要があって、上下で異なる種類のボックスのスタックには適さない。
【０００５】
本発明の目的は、上下のボックスをセット構造にする必要がなく、異なる種類のボックスのスタックに好適なスタック保持具を提供することにある。
【課題を解決するための手段】
【０００６】
上記の目的を達成するために、本発明においては、上下にスタックされたボックスをスタック状態に保持するためのスタック保持具であって、本体板の折り曲げ部の一側に下側のボックスのスリット内に挿入可能な挿入部を形成するとともに、前記折り曲げ部の他側には上側のボックスの底面を受けるための受け部を形成したことを特徴とする。
【０００７】
以上の構成のスタック保持部を用いれば、挿入部を下側のボックスのスリット内に挿入し、受け部に上側のボックスの底部を載置すればよい。従って、上側のボックスの底部にスリット等の構成を設ける必要がなく、上下のボックス間において対応する凹凸関係の構成を設ける必要はない。
【発明の効果】
【０００８】
本発明によれば、上下のボックスをセット構成にする必要がなく、ボックススタックの自在性が向上するという効果を発揮する。
【図面の簡単な説明】
【０００９】
【図１】上下のボックスを重ねた状態を示す斜視図。
【図２】ボックスとスタック保持具との関係を示す分解斜視図。
【図３】スタック保持具の使用状態を示す一部断面図。
【図４】スタック保持具をほぼ直角に曲げた状態を示す斜視図。
【図５】スタック保持具を折り畳んだ状態を示す斜視図。
【図６】スタック保持具を脚として使用した状態を示す正面図。
【図７】スタック保持具の展開状態を示す平面図。
【図８】スタック保持具の展開状態を示す正面図。
【発明を実施するための形態】
【００１０】
以下、本発明を具体化した実施形態を図面に従って説明する。
図４及び図５，図７及び図８に示すように、スタック保持具１１の本体板１２は合成樹脂によって構成されており、その本体板１２の中央部には折り曲げ部としてヒンジ部１３が一体形成されている。そして、ヒンジ部１３を介してヒンジ部１３の一側に挿入部１４が、他側に受け部１５がそれぞれ形成されている。
【００１１】
前記挿入部１４の両コーナ部１６は円弧等の曲面状に形成されている。ヒンジ部１３の一側面には突起１７が形成されている。
前記受け部１５には、前記突起１７に嵌合可能に対応する嵌合孔１８が形成されている。受け部１５の上面には両面粘着シート１９が貼着されている。なお、図２等においては、粘着シート１９を着色しているが、実際には着色されない。
【００１２】
以上のように構成されたスタック保持具１１は次のようにして使用される。
図７及び図８に示すように、スタック保持具１１の使用前，つまり製造後の流通段階等において、スタック保持具１１は、展開されて嵩張らないように、フラットな平板状に保たれている。
【００１３】
図１及び図２に示すように、ボックス３１を重ねてスタックする場合には、図２及び図３に示すように、ボックス３１の側壁３２の上端の例えば４箇所に形成されたスリット３３にスタック保持具１１の挿入部１４を挿入し、突起１７を側壁３２の内側の壁板３６に形成された孔３５に嵌合する。このようにすれば、スタック保持具１１はボックス３１の側壁３２の上端に安定して取付けられる。なお、ボックス３１の側壁３２は、１枚のシートを２つに折り曲げて重ねて内外の壁板３６を形成し、折り曲げ部を頂部側にするとともに、その頂部の４箇所に前記スリット３３を形成したものである。
【００１４】
そして、ほぼ直角に折り曲げられた受け部１５上に上段のボックス３１の底部３７を載置する。このようにすれば、ボックス３１の底面が粘着シート１９の表面に粘着保持されて、上段のボックス３１が固定される。この状態においては、上段のボックス３１の荷重は下段のボックス３１の側壁３２の上端によって受承される。
【００１５】
従って、この状態で、ボックス３１が上下にスタックされて、商品の展示や収容、あるいは保管等の用途に用いられる。
なお、図５及び図６に示すように、スタック保持具１１を二つ折りに折り畳むとともに、突起１７と嵌合孔１８とを嵌合すれば、スタック保持具１１は２つ折りの扁平状態に安定保持される。この状態で、粘着シート１９をボックス３１の底面に貼着すれば、スタック保持具１１をボックス３１の脚とすることができる。
【００１６】
本実施形態においては、以下の効果がある。
（１）スタック保持具１１は本体板１２のヒンジ部１３の一側において下側のボックス３１のスリット内に挿入可能な挿入部１４が形成されるとともに、ヒンジ部１３の他側には上側のボックス３１の底面を受けるための受け部１５が形成されているため、ボックス３１をスタック保持具１１を介して上下に安定してスタックできる。そして、上側のボックス３１の底部３７には突起や溝等の加工は不要である。このため、上下のボックス３１をセット構造にする必要がなく、種類の異なるボックスでもスタックできる。
【００１７】
（２）スタック保持具１１の本体板１２は、ヒンジ部１３において展開及び折り畳み可能になっている。従って、スタック保持具１１の展開状態においては、スタック保持具１１を嵩張ることなく、コンパクトな板厚の薄い状態にできて、保管や運搬に便利である。また、スタック保持具１１をほぼ直角にすれば、ボックス３１のスタックに供することができ、さらにスタック保持具１１を二つ折りにすれば、スタック保持具１１をボックス３１の脚として利用できる。
【００１８】
（３）受け部１５の上面に上側のボックス３１の底面を貼り付けるための粘着シート１９が設けられているため、上側のボックス３１を安定状態に保持できる。粘着シート１９の粘着力が低下した場合は、粘着シート１９を新しいものと貼り替えればよい。
【００１９】
（４）挿入部１４の側面に突起１７が形成されているため、その突起１７をボックス３１の孔３５に嵌合することにより、スタック保持具１１を下側のボックス３１に動きにくい状態で適切に止めることができる。
【００２０】
（５）受け部１５には、本体板１２の折り畳み時に突起１７が嵌合される嵌合孔１８が設けられている。このため、本体板１２を扁平な折り畳み状態に安定維持でき、スタック保持具１１を脚として使用する場合に有効である。
【００２１】
（６）スタック保持具１１の挿入部１４のコーナ部１６が曲面状に形成されているため、その挿入部１４のボックス３１のスリット３３内に対する挿入が円滑になる。
本発明は、前記実施形態に限定されるものではなく、以下のような態様で具体化してもよい。
【００２２】
・スタック保持具１１のヒンジ部１３を省略して、スタック保持具１１の本体板１２の中央部の折り曲げ部を固定構造にしてスタック保持具１１をＬ形状に固定化すること。
・突起１７及び嵌合孔１８を省略すること。
【００２３】
前記実施形態から把握される技術的思想は以下の通りである。
（Ａ）側壁３２を、頂部で一体化された内外２枚の壁板３６によって構成し、その側壁３２の上端の複数箇所にスリット３３を形成したボックス。
【００２４】
このように構成すれば、スリット３３内にスタック保持具１１の挿入部を挿入することができる。
（Ｂ）前記技術的思想（Ａ）項において、内側の壁板３６にスタック保持具１１の突起１７が嵌合される孔３５を形成したボックス。
【００２５】
このように構成すれば、スタック保持具１１の突起１７を孔３５に嵌合することで、スタック保持具１１を安定してボックス３１に取り付けることができ、ひいてはボックス３１のスタックを安定させることができる。
【符号の説明】
【００２６】
１１…スタック保持具、１２…本体板、１３…ヒンジ部、１４…挿入部、１５…受け部、１７…突起、１８…嵌合孔、１９…粘着シート。
【図１】
2017007806.tif 000003
【図２】
2017007806.tif 000004
【図３】
2017007806.tif 000005
【図４】
2017007806.tif 000006
【図５】
2017007806.tif 000007
【図６】
2017007806.tif 000008
【図７】
2017007806.tif 000009
【図８】
2017007806.tif 000010